(57)【要約】【課題】既存のリモコンの発光パタンを簡便な方法で、複数の携帯端末に記憶させることができるリモコン学習装置及びシステムを提供する。【解決手段】リモコン４の赤外線発光パタンをリモコン学習装置２で受信して、その赤外線発光パタンを学習情報として記憶する。そして、この学習情報をインターネット上のサイトに登録するとともに、このサイトのＵＲＬを携帯端末５に通知する。携帯端末５では、通知されたＵＲＬをもとに、学習情報が登録されているインターネット上のサイトにアクセスし、そのサイトから携帯端末５に学習情報をダウンロードする。携帯端末５はダウンロードした学習情報を参照して赤外線の発光パタンを発信することにより、リモコン４の機能を携帯端末５にも持たせることが可能となる。【選択図】図１
2005348104.tif 000002
【特許請求の範囲】
【請求項１】
表示装置に接続されるとともに、インターネットを介して赤外線の発光パタンに関する学習情報が登録されるサイトに接続可能なリモコン学習装置において、
赤外線発光パタンを受信する赤外線受信手段と、
前記赤外線受信手段が受信した学習情報を記憶する発光パタン記憶手段と、
前記発光パタン記憶手段が記憶している学習情報をインターネット上のサイトに送信するとともに、学習情報が登録されているサイトのＵＲＬを受信するデータ通信手段と、
前記データ通信手段が受信したＵＲＬを表示装置に送信するＵＲＬ送信手段と、
を有することを特徴とするリモコン学習装置。
【請求項２】
インターネットを介して赤外線の発光パタンに関する学習情報が登録されるサイトに接続可能な携帯端末において、
学習情報が登録されているサイトのＵＲＬを取得するＵＲＬ取得手段と、
前記ＵＲＬ取得手段が取得したＵＲＬを参照することにより、学習情報が登録されているインターネット上のサイトにアクセスするとともに、学習情報をダウンロードする通信手段と、
前記通信手段が受信した学習情報を記憶するデータ記憶手段と、
ユーザの指示を入力する指示入力手段と、
前記指示入力手段から指示が入力された場合に、前記データ記憶手段が記憶する学習情報を参照して赤外線の発光パタンを発信する赤外線発信手段と、
を有することを特徴とする携帯端末。
【請求項３】
請求項１に記載のリモコン学習装置と、請求項２に記載の携帯端末とを有し、
前記リモコン学習装置のＵＲＬ送信手段から通知される赤外線の発光パタンに関する学習情報が登録されているサイトのＵＲＬを、前記携帯端末のＵＲＬ取得手段により取得し、
前記携帯端末が前記ＵＲＬ取得手段が取得したＵＲＬを参照して学習情報が登録されているサイトにアクセスして、学習情報をダウンロードする
ことを特徴とするリモコン学習システム。
【請求項４】
前記リモコン学習装置のＵＲＬ送信手段が、二次元バーコードを利用して、前記携帯端末のＵＲＬ取得手段に対して学習情報が登録されているＵＲＬを通知することを特徴とする請求項３に記載のリモコン学習システム。
【請求項５】
リモコンの赤外線発光パタンを携帯端末に記憶させるリモコン学習方法において、
前記リモコン学習装置が、前記リモコンの赤外線発光パタンに関する学習情報を読み取るステップと、
前記リモコン学習装置が、読み取った学習情報をインターネット上のサーバに登録するステップと、
前記サーバが、学習情報が登録されているインターネット上の自サイトのＵＲＬを携帯端末に通知するステップと、
前記携帯端末が、サーバから通知されたＵＲＬに基づいて、前記携帯端末を使用して学習情報が登録されているインターネット上のサイトにアクセスするとともに、学習情報をダウンロードするステップと、
を有することを特徴とするリモコン学習方法。
【発明の詳細な説明】
【技術分野】
【０００１】
本発明は、携帯端末にリモコンの機能を付与するために使用されるリモコン学習装置及びシステムに関する。
【背景技術】
【０００２】
従来、リモコンの製造後でも赤外線の発光パタンを記憶させることができる学習リモコンが存在していた。学習リモコンは、それ自身が赤外線受光部を持ち、既存のリモコンと対向させる等して、既存のリモコンから発せられる赤外線の発光パタンを記憶し、既存のリモコンにおける特定のボタン操作を学習リモコンのボタン操作に関連付けるものである。
学習リモコンに記録した赤外線の発光パタンは、学習リモコンのボタン操作により発生させることが可能であり、既存のリモコンでの操作と同様の操作を、学習リモコンでも行うことができるようになっていた。
【０００３】
一方、携帯電話に関する技術としては、特許文献１に記載されているように、携帯電話に赤外線発光部を組み込み、発光パタンをファームに記録することにより、携帯電話を購入後すぐに、携帯電話をリモコンとして使うことができるという技術が知られている。また、インターネット上に各種メーカが製造している既存のリモコンの発光パタンを記録したリモコンアプリケーションを配置しておき、必要に応じて携帯電話にリモコンアプリケーションをダウンロードして使えるようにする技術が知られている。
また、特許文献２には、携帯電話に赤外線発光部と赤外線受光部を組み込んで、赤外線の発光パタンを記憶する学習能力を持った携帯電話に関する技術が記載されている。
【０００４】
しかし、特許文献１に記載されている携帯電話では、携帯電話をリモコンとして使用する前提として、赤外線の発光パタンを記述したプログラムを作成しておく必要があった。また、赤外線の発光パタンを記述したプログラムを携帯電話にダウンロードすることにより、複数の携帯電話でプログラムを共用することができたが、赤外線の発光パタンを記述したプログラムが作成されていないリモコンの発光パタンを学習することはできなかった。
また、特許文献２に記載されている携帯電話では、任意のリモコンにおける赤外線の発光パタンを学習することができたが、特定の携帯電話で学習した赤外線の発光パタンを他の携帯電話で利用することはできなかった。また、学習した赤外線の発光パタンの機能名を入力する必要があり、携帯電話に赤外線の発光パタンを学習させるにあたり、煩雑な登録操作を行わなければならなかった。
【特許文献１】特開２００４−４８７７７号公報
【特許文献２】特開平９−２３３５４９号公報
【発明の開示】
【発明が解決しようとする課題】
【０００５】
本発明は、上記事情を考慮してなされたもので、その目的は、既存のリモコンの発光パタンを簡便な方法で、複数の携帯端末に記憶させることができるリモコン学習装置及びシステムを提供することにある。
【課題を解決するための手段】
【０００６】
請求項１に記載の発明は、表示装置に接続されるとともに、インターネットを介して赤外線の発光パタンに関する学習情報が登録されるサイトに接続可能なリモコン学習装置において、赤外線発光パタンを受信する赤外線受信手段と、前記赤外線受信手段が受信した学習情報を記憶する発光パタン記憶手段と、前記発光パタン記憶手段が記憶している学習情報をインターネット上のサイトに送信するとともに、学習情報が登録されているサイトＵＲＬを受信するデータ通信手段と、前記データ通信手段が受信したＵＲＬを表示装置に送信するＵＲＬ送信手段とを有することを特徴とする。
【０００７】
請求項２に記載の発明は、インターネットを介して赤外線の発光パタンに関する学習情報が登録されるサイトに接続可能な携帯端末において、学習情報が登録されているサイトのＵＲＬを取得するＵＲＬ取得手段と、前記ＵＲＬ取得手段が取得したＵＲＬを参照することにより、学習情報が登録されているインターネット上のサイトにアクセスするとともに、学習情報をダウンロードする通信手段と、前記通信手段が受信した学習情報を記憶するデータ記憶手段と、ユーザの指示を入力する指示入力手段と、前記指示入力手段から指示が入力された場合に、前記データ記憶手段が記憶する学習情報を参照して赤外線の発光パタンを発信する赤外線発信手段とを有することを特徴とする。
【０００８】
請求項３に記載の発明は、請求項１に記載のリモコン学習装置と、請求項２に記載の携帯端末とを有し、前記リモコン学習装置のＵＲＬ送信手段から通知される赤外線の発光パタンに関する学習情報が登録されているサイトのＵＲＬを、前記携帯端末のＵＲＬ取得手段により取得し、前記携帯端末が前記ＵＲＬ取得手段が取得したＵＲＬを参照して学習情報が登録されているサイトにアクセスして、学習情報をダウンロードすることを特徴とする。
【０００９】
請求項４に記載の発明は、請求項３に記載のリモコン学習システムにおいて、前記リモコン学習装置のＵＲＬ送信手段が、二次元バーコードを利用して、前記携帯端末のＵＲＬ取得手段に対して学習情報が登録されているＵＲＬを通知することを特徴とする。
【００１０】
請求項５に記載の発明は、リモコンの赤外線発光パタンを携帯端末に記憶させるリモコン学習方法において、前記リモコン学習装置が、前記リモコンの赤外線発光パタンに関する学習情報を読み取るステップと、前記リモコン学習装置が、読み取った学習情報をインターネット上のサーバに登録するステップと、前記サーバが、学習情報が登録されているインターネット上の自サイトのＵＲＬを携帯端末に通知するステップと、前記携帯端末が、サーバから通知されたＵＲＬに基づいて、前記携帯端末を使用して学習情報が登録されているインターネット上のサイトにアクセスするとともに、学習情報をダウンロードするステップとを有することを特徴とする。
【発明の効果】
【００１１】
本発明では、リモコンの赤外線発光パタンをリモコン学習装置で、学習情報として読み取り、その学習情報をインターネット上のサイトに登録するとともに、そのサイトのＵＲＬを携帯端末に通知して、携帯端末がＵＲＬを参照してインターネット上のサイトから学習情報をダウンロードすることを可能とした。よって、リモコンの赤外線の発光パタンを簡便な方法で携帯端末に記憶させることができる。また、携帯端末が複数存在する場合であっても、学習情報が登録されているサイトのＵＲＬを携帯端末に通知することにより、学習情報を記憶させることができる。
【発明を実施するための最良の形態】
【００１２】
図２は、本発明の実施形態によるリモコン学習システムを示す概略図である。
本実施形態のリモコン学習システムは、サーバ１、リモコン学習装置２、表示装置３、リモコン４、携帯端末５により構成される。
リモコン学習装置２、表示装置３、リモコン４、携帯端末５は、本実施形態のリモコン学習システムを利用するユーザ（以下、ユーザと称する）の自宅７に設置される。また、携帯端末５は、ユーザが在宅時、外出時を問わず常時携帯することが多い端末である。
【００１３】
始めに、本実施形態によるサーバ１（図２参照）について説明する。サーバ１は、インターネット６に接続され、インターネット６を介してデータの送受信を行う。サーバ１に記録されるデータの保存領域は、ＵＲＬ（Uniform Resource Locator）により特定され、そのＵＲＬをブラウザで指定すること等により、サーバ１に保存されているデータにアクセスすることができる。
【００１４】
図３に、本実施形態によるサーバ１のブロック図を示す。サーバ１は、サーバ制御部１１、データ通信部１２、学習情報記録領域部１３により構成される。サーバ制御部１１は、データ通信部１２や学習情報記録領域部１３の動作を制御する。
データ通信部１２は、インターネット６を介してリモコン４の赤外線の発光パタンに関する学習情報のデータを受信して、学習情報記録領域部１３に出力する。また、データ通信部１２は、学習情報記録領域部１３からＵＲＬを読み出して、インターネット６を介してリモコン学習装置２に送信する。
学習情報記録領域部１３は、データ通信部１２から入力された学習情報のデータを記憶する。また、学習情報記録領域部１３は、学習情報のデータが記憶されているＵＲＬを読み出してデータ通信部１２に出力する。
【００１５】
次に、本実施形態によるリモコン学習装置２（図２参照）について説明する。リモコン学習装置２は、表示装置３に対してデータを送信する。また、リモコン学習装置２は、インターネット６にも接続されており、インターネット６を介して、サーバ１等に対してデータの送受信を行う。
リモコン学習装置２は、衛星放送を受信する際に使用されるＳＴＢ（Set Top Box）などに組み込まれて用いられる。リモコン学習装置２は、表示装置３の上に設置して用いられることが多い。なお、リモコン学習装置２は、パソコンなどの機器に組み込んで用いることもできる。
【００１６】
図４に、本実施形態によるリモコン学習装置２のブロック図を示す。リモコン学習装置２は、リモコン学習装置制御部２１、赤外線受信部２２、発光パタン記録領域部２３、データ通信部２４、ＵＲＬ記録領域部２５、データ送信部２６により構成される。リモコン学習装置制御部２１は、赤外線受信部２２、発光パタン記録領域部２３、データ通信部２４、ＵＲＬ記録領域部２５、データ送信部２６の動作を制御する。
赤外線受信部２２は、リモコン４からリモコン学習装置２に向けて発信される赤外線の発光パタンを受信して、その発光パタンを発光パタン記録領域部２３に出力する。
発光パタン記録領域部２３は、赤外線受信部２２から入力された赤外線の発光パタンを記憶する。また、発光パタン記録領域部２３は、赤外線の発光パタンのデータをデータ通信部２４に出力する。
【００１７】
データ通信部２４は、発光パタン記録領域部２３から入力された赤外線の発光パタンをインターネット６を介してサーバ１に送信する。また、データ通信部２４は、インターネット６を介してサーバ１から送信される赤外線の発光パタンに関する学習情報のデータが記録されているサイトのＵＲＬを受信して、ＵＲＬ記録領域部２５に出力する。
ＵＲＬ記録領域部２５は、データ通信部２４から入力されたＵＲＬを記憶するとともに、データ送信部２６にＵＲＬを送信する。データ送信部２６は、表示装置３に対してＵＲＬ等のデータを送信する。また、データ送信部２６は、ＵＲＬ記録領域部２５から入力されたＵＲＬを表示装置３に対して送信する。
【００１８】
次に、本実施形態による表示装置３（図２参照）について説明する。本実施形態では、表示装置３としてテレビを用いる。表示装置３に表示する映像等の内容は、ユーザがリモコン４などにより遠隔操作を行って指示することによって切り替えることができる。
図５に、本実施形態による表示装置３のブロック図を示す。表示装置３は、表示装置制御部３１、データ受信部３２、画像表示部３３、受信部３４により構成される。表示装置制御部３１は、データ受信部３２、画像表示部３３、受信部３４の動作を制御する。
データ受信部３２は、リモコン学習装置２から送信される、学習情報が記録されているサイトのＵＲＬのデータ等を受信して、表示装置制御部３１に出力する。
また、受信部３４は、アンテナから地上波放送などのデータを受信して、表示装置制御部３１に出力する。画像表示部３３は、表示装置制御部３１の制御に基いて、データ受信部３２が受信するデータと受信部３４が受信するデータのうち、いずれかのデータを表示装置３の表示画面に表示する。
【００１９】
次に、本実施形態によるリモコン４（図２参照）について説明する。リモコン４は、ユーザがリモコン４に設けられている複数のボタンのいずれかを押すことにより、押されたボタンに対応する赤外線の発光パタンをリモコン学習装置２や表示装置３に発信する。リモコン４から発信された赤外線の発光パタンを受信したリモコン学習装置２や表示装置３では、赤外線の発光パタンに対応する制御が行われる。
【００２０】
図６に、本実施形態によるリモコン４のブロック図を示す。リモコン４は、リモコン制御部４１、指示入力部４２、赤外線送信部４３により構成される。リモコン制御部４１は、指示入力部４２、赤外線送信部４３の動作を制御する。
指示入力部４２は、リモコン４に設けられる複数のボタンなどにより構成され、ユーザが特定のボタンを押すと、押されたボタンに対応する電気信号を赤外線送信部４３に出力される。赤外線送信部４３は、指示入力部４２から入力された電気信号を、赤外線の発光パタンに変換して外部に発信する。
【００２１】
次に、本実施形態による携帯端末５（図２参照）について説明する。携帯端末５は、例えば、携帯電話やＰＤＡ（Personal Digital Assistants）などを用いることができる。なお、携帯端末５としては、赤外線を発光する機能、インターネットに接続する機能、及び、バーコードを読み込む機能を有するとともに、これらの各機能を制御するプログラムを実行できるものであれば、その他の機器を用いることもできる。携帯端末５に適用可能な携帯電話は、通話機能やインターネット接続機能を有しており、ユーザが常時携帯していることが多い利便性の高い端末である。よって、携帯端末５に適用可能な携帯電話に、リモコンの機能を追加すれば、ユーザの利便性を向上させることができる。
【００２２】
図７に、本実施形態による携帯端末５のブロック図を示す。携帯端末５は、携帯端末制御部５１、バーコード読取部５２、データ記録部５３、通信部５４、赤外線送信部５５、指示入力部５６により構成される。携帯端末制御部５１は、バーコード読取部５２、データ記録部５３、通信部５４、赤外線送信部５５、指示入力部５６の動作を制御する。
バーコード読取部５２は、表示装置３の表示画面に表示される二次元バーコードを読み取るとともに、二次元バーコードとして記録されているＵＲＬのデータに変換してデータ記録部５３に出力する。
データ記録部５３では、バーコード読取部５２から入力されたＵＲＬのデータを記憶する。また、ＵＲＬのデータを通信部５４に出力するとともに、通信部５４が受信する学習情報のデータを入力して記憶する。更に、データ記録部５３が記憶する学習情報のデータを赤外線送信部５５に出力する。
【００２３】
携帯端末５はインターネットに接続する機能を有し、携帯端末５を構成する通信部５４によりインターネットに接続してデータのやりとりを行うことができる。
通信部５４は、データ記録部５３から入力されるＵＲＬのデータを参照して、アンテナを介してインターネット６上のサーバ１にアクセスする。また、通信部５４は、アクセスしたＵＲＬのサイトに記録されている学習情報を、アンテナを介してインターネット６上のサーバ１からダウンロードする。なお、アンテナは携帯端末５を使用して音声通話する場合におけるデータの送受信を行う際にも用いられる。
指示入力部５６は、携帯端末５に設けられる複数のボタンなどにより構成され、ユーザが特定のボタンを押すと、押されたボタンに対応する電気信号を赤外線送信部５５に出力する。
携帯端末５は、赤外線を発光する機能を有し、携帯端末５を構成する赤外線送信部５５により外部に赤外線を発信することができる。
赤外線送信部５５は、データ記録部５３から学習情報を入力するとともに、指示入力部５６に電気信号として入力されたユーザの指示を、携帯端末制御部５１を介して入力する。そして、赤外線送信部５５に入力された電気信号に対応する赤外線の発光パタンを、学習情報を参照して決定し、外部に赤外線の発光パタンとして赤外線により発信する。
【００２４】
図１は、本実施形態によるリモコン学習システムの処理の流れを示すフローチャートである。
リモコン４の赤外線の発光パタンを携帯端末５に学習させる処理は、リモコン学習装置２の初回電源投入時、又は、ユーザがリモコン学習装置２のメニューの中に設けられる「学習開始」の項目の選択時などを契機として開始することができる。
リモコン学習装置２において学習が開始されると、リモコン学習装置２から表示装置３に対して、リモコン４の赤外線の発光パタンを記憶させるための登録処理のガイダンスを表示するように指示が送られる（ステップＳ０１）。
表示装置３の表示画面には、「チャンネル１のボタンを押して下さい」などのメッセージが表示される（ステップＳ０２）。
ユーザは、表示装置３に表示されるメッセージを参照しながら、リモコン４のチャンネル１のボタンを押すなど、メッセージに対応する操作を行う。リモコン４の特定のボタンが押されると、押されたボタンに割り当てられた赤外線の発光パタンが赤外線送信部４３から送信される（ステップＳ０３）。
【００２５】
赤外線送信部４３から送信された赤外線の発光パタンは、リモコン学習装置２の赤外線受信部２２で受信される。赤外線受信部２２で受信された赤外線の発光パタンは、発光パタン記録領域部２３に記録される。
登録が必要なボタンの赤外線の発光パタンが全て記録し終わるまで、ステップＳ０１〜Ｓ０３の処理が繰り返される。発光パタン記録領域部２３には、図８に示すようなデータが記録される。すなわち、リモコン４のそれぞれのボタンに割り当てられている制御命令と、それに対応する赤外線の発光パタンが対応付けられ、学習情報として発光パタン記録領域部２３に記録される。
【００２６】
発光パタン記録領域部２３に記憶された学習情報は、リモコン学習装置２のデータ通信部２４から、インターネット６を介してサーバ１のデータ通信部１２に送信される（ステップＳ０４）。
サーバ１のデータ通信部１２では、受信した学習情報を学習情報記録領域部１３に出力する。学習情報記録領域部１３では、赤外線の発光パタンに関する学習情報のデータを、携帯端末５で使用できるようにアプリケーションに組み込んで、サーバ１のサイトに登録する。
次に、学習情報記録領域部１３から、学習情報のアプリケーションが登録されているサイトのＵＲＬが読み出され、サーバ１のデータ通信部１２からインターネット６を介して、リモコン学習装置２のデータ通信部２４に送信される（ステップＳ０５）。
【００２７】
リモコン学習装置２のデータ通信部２４で受信されたＵＲＬは、ＵＲＬ記録領域部２５に記録される。次に、ＵＲＬ記録領域部２５に記録されているＵＲＬは、二次元バーコードのデータに変換された後に、データ送信部２６から、表示装置３のデータ受信部３２に送信される（ステップＳ０６）。
表示装置３では、データ受信部３２で受信した二次元バーコードのデータに基づいて、二次元バーコードを画像表示部３３の表示画面に表示する。ユーザは、表示装置３の画像表示部３３に表示された二次元バーコードを、携帯端末５のバーコード読取部５２を利用して読み取る（ステップＳ０７）。
バーコード読取部５２で読み取られた二次元バーコードのデータは、ＵＲＬのデータに変換されてデータ記録部５３に記憶される。
【００２８】
携帯端末５の通信部５４は、データ記録部５３に記憶されているＵＲＬを参照して、インターネット６を介してサーバ１にアクセスする（ステップＳ０８）。
そして、サーバ１からインターネット６を介して、学習情報を含むアプリケーションを携帯端末５にダウンロードする（ステップＳ０９）。
携帯端末５では、ダウンロードされた学習情報を含むアプリケーションを通信部５４で受信するとともに、受信した学習情報を含むアプリケーションをデータ記録部５３に記録する。このようにしてリモコン４の各ボタンに割当てられた機能を、携帯端末５の各ボタンに割り当てる学習処理を終了する。
ユーザが携帯端末５の特定のボタンを押すと、データ記録部５３に記録されている学習情報が参照され、押されたボタンに対応する発光パタンが読み出されて、赤外線送信部５５から発信される。表示装置３で、携帯端末５から発信された赤外線の発光パタンが検出されることにより、表示装置３として用いられるテレビなどに対して、表示画面を切り替えるなどの処理を行うことができる。
【００２９】
本実施形態によるリモコン学習システムを用いれば、リモコン４の発光パタンを簡便な方法で、ユーザの携帯端末５に記憶させて、携帯端末５をリモコン４として利用することが可能となる。また、サイトに登録したリモコン４の発光パタンを、複数の携帯端末に記憶させて使用することが可能となる。
【００３０】
なお、インターネット６上のサイトにリモコン４の赤外線の発光パタンを登録する方法としては、ＨＴＴＰ（HyperText Transfer Protocol）やＦＴＰ（File Transfer Protocol）、ＳＭＴＰ（Simple Mail Transfer Protocol）などのインターネットプロトコル通信を利用するものに限定されない。すなわち、ＦＡＸ、郵便、電話、フロッピー（登録商標）ディスクなどを利用して、リモコン４の発光パタンの学習情報をインターネット６上のサイトに通知することもできる。
また、本実施形態では、学習情報が記録されているサイトのＵＲＬを、表示装置３の表示画面に二次元バーコードで表示して、携帯端末５で読み取ることにより通知する場合について説明したが、これに限定されるものではない。すなわち、電子メールやＦＡＸ、郵便、電話、フロッピー（登録商標）ディスクなどを利用して、携帯端末５のユーザに対して学習情報が登録されているサイトのＵＲＬを通知することもできる。
【００３１】
また、本実施形態では、サーバ１で学習情報を受信した後に、携帯端末５で利用可能なようにアプリケーション化する場合について説明したが、これに限定されるものではない。すなわち、学習情報のデータをアプリケーションに組み込む作業は、リモコン学習装置２など、他の機器の内部で行うこともできる。
また、本実施形態では、携帯端末５が、学習情報が登録されているサイトのＵＲＬを取得した後で、インターネット６を介してダウンロードする場合について説明した。しかし、この構成に限定されるものではなく、例えば、学習情報が登録されているサイトに携帯端末５のメールアドレスを通知することにより、サイトから携帯端末５に直接、学習情報のデータを送信させて利用することもできる。
また、本実施形態では、サーバ１とリモコン学習装置２を別々に構成する場合について説明したが、サーバ１をリモコン学習装置２に組み込むことにより、リモコン学習システムをユーザの自宅内で構成することも可能となる。
【００３２】
なお、以上説明した実施形態において、サーバ１のサーバ制御部１１、データ通信部１２、リモコン学習装置２のリモコン学習装置制御部２１、赤外線受信部２２、データ通信部２４、データ送信部２６、表示装置３の表示装置制御部３１、データ受信部３２、画像表示部３３、受信部３４、リモコン４のリモコン制御部４１、指示入力部４２、赤外線送信部４３、携帯端末５の携帯端末制御部５１、バーコード読取部５２、通信部５４、赤外線送信部５５、指示入力部５６は、専用のハードウェアにより実現されるものであってもよい。また、サーバ１のサーバ制御部１１、データ通信部１２、リモコン学習装置２のリモコン学習装置制御部２１、赤外線受信部２２、データ通信部２４、データ送信部２６、表示装置３の表示装置制御部３１、データ受信部３２、画像表示部３３、受信部３４、リモコン４のリモコン制御部４１、指示入力部４２、赤外線送信部４３、携帯端末５の携帯端末制御部５１、バーコード読取部５２、通信部５４、赤外線送信部５５、指示入力部５６は、メモリおよびＣＰＵ（中央演算装置）により構成され、これらの機能を実現するためのプログラムをメモリにロードして実行することによりその機能を実現させるものであってもよい。
【００３３】
また、図３におけるサーバ１のサーバ制御部１１、データ通信部１２、図４におけるリモコン学習装置２のリモコン学習装置制御部２１、赤外線受信部２２、データ通信部２４、データ送信部２６、図５における表示装置３の表示装置制御部３１、データ受信部３２、画像表示部３３、受信部３４、図６におけるリモコン４のリモコン制御部４１、指示入力部４２、赤外線送信部４３、図７における携帯端末５の携帯端末制御部５１、バーコード読取部５２、通信部５４、赤外線送信部５５、指示入力部５６の機能を実現するためのプログラムをコンピュータ読み取り可能な記録媒体に記録して、この記録媒体に記録されたプログラムをコンピュータシステムに読み込ませ、実行することによりリモコン４の赤外線の発光パタンを携帯端末５に学習させる処理を行ってもよい。なお、ここでいう「コンピュータシステム」とは、ＯＳや周辺機器等のハードウェアを含むものとする。
【００３４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３５】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００３６】
地上波、ＣＳ放送、ＢＳ放送などの視聴が可能なＭＭＴＶ（Media Mix TV）などに適用して、ユーザの携帯電話をリモコンとして使用することが考えられる。
【図面の簡単な説明】
【００３７】
【図１】本発明の実施形態によるリモコン学習システムの処理の流れを示すフローチャートである。
【図２】本実施形態によるリモコン学習システムを示す概略図である。
【図３】本実施形態によるサーバ１の構成を示すブロック図である。
【図４】本実施形態によるリモコン学習装置２の構成を示すブロック図である。
【図５】本実施形態による表示装置３の構成を示すブロック図である。
【図６】本実施形態によるリモコン４の構成を示すブロック図である。
【図７】本実施形態による携帯端末５の構成を示すブロック図である。
【図８】リモコン学習装置２の発光パタン記録領域部２３に記録されるデータの例である。
【符号の説明】
【００３８】
１・・・サーバ
１１・・・サーバ制御部
１２・・・データ通信部
１３・・・学習情報記録領域部
２・・・リモコン学習装置
２１・・・リモコン学習装置制御部
２２・・・赤外線受信部
２３・・・発光パタン記録領域部
２４・・・データ通信部
２５・・・ＵＲＬ記録領域部
２６・・・データ送信部
３・・・表示装置
３１・・・表示装置制御部
３２・・・データ受信部
３３・・・画像表示部
３４・・・受信部
４・・・リモコン
４１・・・リモコン制御部
４２・・・指示入力部
４３・・・赤外線送信部
５・・・携帯端末
５１・・・携帯端末制御部
５２・・・バーコード読取部
５３・・・データ記録部
５４・・・通信部
５５・・・赤外線送信部
５６・・・指示入力部
６・・・インターネット
７・・・ユーザの自宅
【図１】
2005348104.tif 000003
【図２】
2005348104.tif 000004
【図３】
2005348104.tif 000005
【図４】
2005348104.tif 000006
【図５】
2005348104.tif 000007
【図６】
2005348104.tif 000008
【図７】
2005348104.tif 000009
【図８】
2005348104.tif 000010